(57)【要約】      （修正有）【課題】引戸機構又は引戸タイプの間仕切り機構の設置及びメンテナンスを容易に実施でき、引戸又は引戸タイプの間仕切りが収納された状態でも見栄えが良く、デザイン性に優れた、かつ必要なとき引き残しを形成することができると共に、引き残しの量を調整することができる戸袋構造を提供する。【解決手段】引戸又は引戸タイプの間仕切りＰを出し入れ可能に収納する戸袋構造１００であって、互いに離間して引戸又は引戸タイプの間仕切りＰと平行に配置される２つの戸袋壁のうちの少なくとも１つが、回動により開閉可能な壁板３０から構成されている。【選択図】図１
2015203196.tif 000002
【特許請求の範囲】
【請求項１】
引戸又は引戸タイプの間仕切りを出し入れ可能に収納する戸袋構造であって、互いに離間して前記引戸又は引戸タイプの間仕切りと平行に配置される２つの戸袋壁のうちの少なくとも１つが、回動により開閉可能な壁板から構成されていることを特徴とする戸袋構造。
【請求項２】
収納されている前記引戸又は引戸タイプの間仕切りの一端の端縁部を戸袋から突出させ、引き残しを形成するためのストッパを備えていることを特徴とする請求項１に記載の戸袋構造。
【請求項３】
前記ストッパは、前記壁板の内側の面に装着され、前記壁板の厚さ方向に対して飛出し及び引込み可能に構成されていることを特徴とする請求項２に記載の戸袋構造。
【請求項４】
前記ストッパは、当該ストッパが飛出した状態で前記壁板が閉じられた場合に、収納されている前記引戸又は引戸タイプの間仕切りに押圧されて引込まれた状態に戻るように構成されていることを特徴とする請求項３に記載の戸袋構造。
【請求項５】
前記ストッパは、着脱可能に装着されていることを特徴とする請求項２に記載の戸袋構造。
【請求項６】
前記ストッパは、前記引き残しの量を調整するための調整手段を有していることを特徴とする請求項２から５のいずれか１項に記載の戸袋構造。
【請求項７】
前記壁板は、床面に対して垂直方向の軸を中心に回動自在に装着されており、前記壁板を閉止位置に保持する保持手段をさらに備えていることを特徴とする請求項１から６のいずれか１項に記載の戸袋構造。
【請求項８】
前記壁板は、前記壁板の内側に設けた隠し丁番を介して前記戸袋の竪枠に回動自在に装着されていることを特徴とする請求項７に記載の戸袋構造。
【発明の詳細な説明】
【技術分野】
【０００１】
本発明は、引戸又は引戸タイプの間仕切りを出し入れ可能に収納する戸袋構造に関する。
【背景技術】
【０００２】
建物内の室内空間を２つの部屋に仕切る間仕切り構造として、複数枚の引戸パネルを重ね合わせ状態で収納する収納凹部を有する室内の間仕切り構造は公知である（例えば、特許文献１）。
【０００３】
この室内の間仕切り構造は、互いに連通した室内間の開口部の一側方に設けられた引戸パネル収納凹部と、この収納凹部と開口部との天壁面に取付けられて引戸パネルを吊支状態で収納凹部から開口部に向かって横移動させる直状の上レールとからなり、収納凹部の天井面に短レール部を直状の上レールに直角に連設させて取付け、この短レール部により引戸パネルを吊支状態で上レール側に出し入れ可能に構成している。
【０００４】
特許文献１に開示されている間仕切り構造は、収納凹部の片方が開放しているので、収納凹部に複数枚の引戸パネルを重ね合わせ状態で収納するだけであり、収納された引戸パネルは外部から見える状態となっており、見栄えが非常に悪い。
【０００５】
そこで、これら引戸を不要時に収納し、外部から見えないようにする戸袋が用いられる。戸袋は、一般に、建築物の開口部側部の壁体に設けられた互いに離間して平行に配置される２つの戸袋壁と、引戸又は引戸タイプの間仕切りを出し入れするための開口端と、この開口端と対向する側に配置される竪枠とを備えている。
【０００６】
しかしながら、このような戸袋構造は、当然のことながら開口端が設けられているため内部にごみがたまりやすく、また、２つの戸袋壁と竪枠とが作り付けであるため、このたまったごみを掃除することが難しいという問題があった。
【０００７】
このような問題を解決するために、戸袋の正面下部にたまったごみを簡便に掃除ができる小開口部を戸袋壁に設けた戸袋構造が提案されている（例えば、特許文献２）。
【先行技術文献】
【特許文献】
【０００８】
【特許文献１】特開２００２−２８５６６４号公報
【特許文献２】特開平９−７８９６０号公報
【発明の概要】
【発明が解決しようとする課題】
【０００９】
特許文献２に開示されている戸袋構造によれば、ごみの排出は容易であるが、２つの戸袋壁が作りつけであることから、戸袋内部の引戸機構又は引戸タイプの間仕切り機構の設置やメンテナンスが非常に困難であった。
【００１０】
従って、本発明の目的は、戸袋内部の引戸機構又は引戸タイプの間仕切り機構の設置及びメンテナンスを容易に実施できる戸袋構造を提供することにある。
【００１１】
本発明の他の目的は、引戸又は引戸タイプの間仕切りが、収納状態であっても見栄えが良く、デザイン性に優れた戸袋構造を提供することにある。
【００１２】
本発明のさらに他の目的は、引戸又は引戸タイプの間仕切りの引き残しを提供できると共に、引き残しの量を調整することができる戸袋構造を提供することにある。
【課題を解決するための手段】
【００１３】
本発明によれば、戸袋構造は、引戸又は引戸タイプの間仕切りを出し入れ可能に収納する戸袋構造であって、互いに離間して引戸又は引戸タイプの間仕切りと平行に配置される２つの戸袋壁のうちの少なくとも１つが、回動により開閉可能な壁板から構成されている。
【００１４】
少なくとも１つの戸袋壁が回動により開閉可能な壁板から構成されているため、この壁板を回動させて戸袋内部を開けば、内部の引戸機構又は引戸タイプの間仕切り機構の設置及びメンテナンスが非常に容易となる。また、戸袋内に収納された引戸又は引戸タイプの間仕切りは外部から見えないため、見栄えが良く、デザイン性を向上させることができる。
【００１５】
収納されている引戸又は引戸タイプの間仕切りの一端の端縁部を戸袋から突出させ、引き残しを形成するためのストッパを備えていることが好ましい。これにより、引戸が戸袋に完全に引込み収納されてしまうことを防止でき、引出し操作が容易となる。
【００１６】
ストッパは、壁板の内側の面に装着され、壁板の厚さ方向に対して飛出し及び引込み可能に構成されていることも好ましい。これにより、必要なときのみ引き残しを形成することができる。
【００１７】
ストッパは、このストッパが飛出した状態で壁板が閉じられた場合に、収納されている引戸又は引戸タイプの間仕切りに押圧されて引込まれた状態に戻るように構成されていることが好ましい。これにより、引戸又は引戸タイプの間仕切りが戸袋内に収納されており、ストッパが飛出した状態で壁板を閉じられると、このストッパが引戸又は引戸タイプの間仕切りの表面に押圧されて引込まれるので、引戸又は引戸タイプの間仕切りを傷つけることを防止できる。
【００１８】
ストッパは、着脱可能に装着されていることも好ましい。これにより、必要なときに引き残しを形成することができる。
【００１９】
ストッパは、引き残しの量を調整するための調整手段を有していることも好ましい。これにより、必要に応じて引き残しの量を調整することができる。
【００２０】
壁板は、床面に対して垂直方向の軸を中心に回動自在に装着されており、壁板を閉止位置に保持する保持手段をさらに備えていることも好ましい。これにより、壁板の開閉が回動式片開き扉のように操作される。
【００２１】
壁板は、壁板の内側に設けた隠し丁番を介して戸袋の竪枠に回動自在に装着されていることも好ましい。これにより、デザイン性を向上させることができる。
【発明の効果】
【００２２】
本発明の戸袋構造によれば、少なくとも１つの戸袋壁が開閉可能に取付けられている壁板から構成されていることにより、戸袋内の引戸機構又は引戸タイプの間仕切り機構の設置及びメンテナンスを容易に実施できる。また、引戸又は引戸タイプの間仕切りが収納された状態でも見栄えが良く、デザイン性を向上させることができる。
【図面の簡単な説明】
【００２３】
【図１】本発明の第１の実施形態に係る戸袋構造の全体の構成を概略的に示す斜視図である。
【図２】図１の戸袋構造のストッパの構成を概略的に示す斜視図である。
【図３】ストッパの他の構成例を概略的に示す斜視図である。
【図４】図１の戸袋構造のストッパの動作状態を概略的に示す説明図である。
【図５】図１の戸袋構造の閉じた状態を示す斜視図である。
【図６】本発明の第２の実施形態に係る戸袋構造の全体の構成を概略的に示す斜視図である。
【図７】図６の戸袋構造のストッパの構成を概略的に示す斜視図である。
【図８】本発明の第３の実施形態に係る戸袋構造の全体の構成を概略的に示す斜視図である。
【発明を実施するための形態】
【００２４】
以下、本発明に係る戸袋構造の実施形態を、図を参照して説明する。
【００２５】
図１は本発明の第１の実施形態に係る戸袋構造１００の全体の構成を示している。図２は戸袋構造１００のストッパ３３の構成を示しており、（ａ）はストッパ部材３３ｂがケース３３ａに退避した状態を示しており、（ｂ）はストッパ部材３３ｂが突出した状態を示している。図３は戸袋構造１００のストッパ３３の他の構成例を示しており、（ａ）はストッパ部材３３ｂがケース３３ａに退避した状態を示しており、（ｂ）はストッパ部材３３ｂが突出した状態を示している。この第１の実施形態に係る戸袋構造１００は、上吊り引戸タイプの間仕切り用の戸袋構造である。
【００２６】
図１〜図３に示すように、本実施形態に係る戸袋構造１００は、作り付けの裏側戸袋壁１０と、竪枠２０ａ及び２０ｂと、回動により開閉可能に取付けられている表側戸袋壁としての壁板３０と、天井に取付けられる上レール４０とを備えている。この例において、複数の間仕切りパネルＰは、上レール４０に走行自在に吊設されている。
【００２７】
裏側戸袋壁１０は複数の間仕切りパネルＰを収納する収納部の裏壁であり、複数の間仕切りパネルＰはこの裏壁と平行に収納されるように構成されている。裏側戸袋壁１０の両端は収納部の竪枠２０ａ及び２０ｂと連結され、凹状収納部を構成している。
【００２８】
壁板３０は、表側戸袋壁として、回動により開閉可能に取付けられている。この例において、壁板３０は、２つの隠し丁番３１と、保持手段である１組のマグネットキャッチャ３２と、２つのストッパ３３と、１つのアームストッパ３４と、２つのフランス落とし３５とを備えている。この壁板３０は、その内側に設けた２つの隠し丁番３１を介して竪枠２０ａに回動自在に装着されている。アームストッパ３４は、壁板３０の上端と天井枠１との間に設けられている。フランス落とし３５は、壁板３０を閉止位置に固定するための上げ落とし式及び下げ落とし式の棒状の金具を用いた戸締まり金具である。なお、場合によっては、アームストッパ３４とフランス落とし３５とを設けなくても良い。
【００２９】
マグネットキャッチャ３２は、壁板３０を閉止位置に保持するためのものであり、例えば、マグネットキャッチャ３２の本体３２ａが天井枠１に設けられ、受板３２ｂが壁板３０の上端部に設けられる。壁板３０と竪枠２０ｂとの間は間仕切りパネルＰの引出し口が形成されている。
【００３０】
ストッパ３３は、壁板３０の内側の面に設けられ、最後に引込み収納された間仕切りパネルＰの先端（戸先）を戸袋開口端から突出させ、引き残しを形成するためのものである。ストッパ３３は、壁板３０に設けられた掘り込み穴に嵌入可能なケース３３ａと、このケース３０ａにシャフトを介してシーソー式に飛出し及び引込み自在に装着されたストッパ部材３３ｂと、このストッパ部材３３ｂが壁板３０の内側面から飛出すように付勢するバネ（図示せず）とを備えている。ストッパ部材３３ｂの飛出す端面に緩衝部材３３ｃが装着されている。ストッパ３３の緩衝部材３３ｃは、間仕切りパネルＰの端面（戸尻側）に当接し、これによって間仕切りパネルＰに引き残しを形成するようになされている。ストッパ部材３３ｂが飛出している状態でその飛出し端を押し込むと、ストッパ部材３３ｂは引込んでケース３０ａ内に収納される。なお、図３に示すように、ストッパ３３は、間仕切りパネルＰの引き残し量を調整するための調整手段である水平方向スライド機構を介して壁板３０に設けられた凹部に配置されるようにしても良い。この場合、例えばストッパ３３の本体が水平方向（図中矢印方向）のスライドレール３３ｄに摺動可能に装着され、かつ必要に応じてストッパ３３の本体をスライドレール３３ｄ上の任意位置に固定することができるように構成する。これにより、間仕切りパネルＰの引き残しの量を調整することが可能となる。
【００３１】
上レール４０は、開口端縁が内側に曲がった略コ字形状の断面を有するレール部材から構成されたＦ形レールであり、開閉部レール４１と、収納部レール４２とを備えている。開閉部レール４１は天井に配置され、間仕切りパネルＰが摺動する直線部であり、収納部レール４２は収納部の天井に配置され、開閉部レール４１に対して直角方向に連結された２本の短いレールである。
【００３２】
図４は壁板３０及びストッパ３３の動作状態を示しており、同図（ａ）はストッパ３３に間仕切りパネルＰの戸尻側端面に当接させることによって、その端縁部を戸袋から突出させ、引き残しが形成されている状態を示しており、（ｂ）は間仕切りパネルＰが引込み収納されておりかつストッパ３３が飛出した状態の壁板３０を閉じる際に、ストッパ３３が間仕切りパネルＰの表面に当接する状態を示している。
【００３３】
図４（ａ）に示すように、ストッパ３３により間仕切りパネルＰの先端（戸先）を戸袋から突出させ、引き残しを形成した。これにより、間仕切りパネルＰが戸袋に完全に引込み収納されることを阻止でき、引出し操作が容易となる。引き残しを形成した状態にするためには、壁板３０を開き、ストッパ３３のストッパ部材３３ｂ後端（戸尻側）を押して、ストッパ部材３３ｂの先端部を飛出し状態とすれば良い。この状態で壁板３０を閉じ、間仕切りパネルＰを戸袋に引込み収納すると、間仕切りパネルＰの後端面（戸尻側）がストッパ部材３３ｂの先端部の端面に当接してそれ以上引込み収納されなくなり、引き残しが形成される。
【００３４】
また、図４（ｂ）に示すように、間仕切りパネルＰが引込み収納されておりかつストッパ３３が飛出した状態の壁板３０を閉じる際に、ストッパ３３が間仕切りパネルＰの表面に当接すると、ストッパ部材３３ｂの先端部が引込まれ、ストッパ部材３３ｂはケース３３ａ内に収納される状態となる。
【００３５】
図５は、本実施形態において、壁板３０が閉じた状態（間仕切りパネルＰが戸袋に完全に引込み収納されている状態）を示している。同図に示すように、間仕切りパネルＰが戸袋に引込み収納されかつ壁板３０が閉じている状態では、収納された間仕切りパネルＰは外部から全く見えず、見栄えが良くなる。また、間仕切りパネルＰが戸袋から引出した状態でも、壁板３０を閉じた状態にすることで、空いた収納部を隠すことができる。なお、引出された間仕切りパネルＰの振れを防止するために、振れ止め装置を設けても良い。例えば、図５に示すように、床に振れ止め用ベース部材２を設け、間仕切りパネルＰの下端にこの振れ止め用ベース部材２に係合するガイド部材（図示せず）を設けるようにしても良い。
【００３６】
以上説明したように、本実施形態の戸袋構造１００によれば、裏側戸袋壁１０と、竪枠２０ａ及び２０ｂと、表側戸袋壁としての回動により開閉可能に取付けられている壁板３０と、天井に取付けられる上レール４０とを備えているため、戸袋内の引戸タイプの間仕切り機構の設置及びメンテナンスが非常に容易となる。また、戸袋内に収納された引戸タイプの間仕切りは外部から見えないため、見栄えが良く、デザイン性を向上させることができる。
【００３７】
さらに、間仕切りパネルＰの端縁部を戸袋から突出させ、引き残しを形成するためのストッパ３３を備えていることで、間仕切りパネルＰが戸袋に完全に引込み収納されないので、引出し操作が容易となる。
【００３８】
さらにまた、壁板３０を閉止位置に保持する保持手段としてのマグネットキャッチャ３２を備えることで、壁板３０の開閉を片開き扉のように操作することができる。
【００３９】
壁板３０は、壁板３０の内側に設けた隠し丁番３１を介して戸袋の竪枠２０ａに回動自在に装着されていることも好ましい。隠し丁番を用いることにより、デザイン性を向上させることができる。
【００４０】
ストッパ３３は、壁板３０の内側の面に装着され、壁板３０の厚さ方向に対して飛出し及び引込み可能に構成されていることも好ましい。これにより、必要なときのみ引き残しを形成することができる。
【００４１】
また、ストッパ３３は、このストッパ３３が飛出した状態で壁板３０が閉じられた場合に、収納されている間仕切りパネルＰに押圧されて引込まれた状態に戻るように構成されていることが好ましい。これにより、間仕切りパネルＰが戸袋内に収納されており、ストッパ３３が飛出した状態で壁板３０を閉じられると、このストッパ３３が間仕切りパネルＰの表面に押圧されて引込まれるので、間仕切りパネルＰを傷つけることを防止できる。
【００４２】
ストッパ３３は、引き残しの量を調整するための調整手段（スライド機構）を有していることで、必要なとき引き残しを形成することができると共に、引き残しの量も調整することができる。
【００４３】
図６は本発明の第２の実施形態における戸袋構造２００の全体の構成を示しており、図７は戸袋構造２００のストッパ３３Ａの構成を概略的に示している。この第２の実施形態に係る戸袋構造２００は、上吊り引戸タイプの間仕切り用の戸袋構造であり、第１の実施形態における戸袋構造１００のストッパ３３の代わりに着脱可能なストッパ３３Ａを用いている。
【００４４】
本実施形態の戸袋構造２００において、ストッパ以外の構成は、前述した第１の実施形態の戸袋構造１００の構成と同様であるため、詳細な説明を省略すると共に第１の実施形態と同じ構成要素には同じ参照符号を用いることとする。
【００４５】
ストッパ３３Ａは、竪枠２０ａに固着され、図７に示すように、両側に凸条部３３ｅを有する装着部材３３ｆと、この凸条部３３ｅに嵌合可能な凹溝３３ｇをその一端部（後端部）に有する柱状部材３３ｈとから構成されている。柱状部材３３ｈは、その両側の凹溝３３ｇが装着部材３３ｆの凸条部３３ｅに嵌合することで、装着部材３３ｆに着脱可能に装着される。また、柱状部材３３ｈの他端部（先端部）には、緩衝部材３３ｉが設けられている。引き残しを形成する必要がある場合、柱状部材３３ｈを装着部材３３ｆに装着する。一方、引き残しを形成する必要がない場合は、柱状部材３３ｈを装着部材３３ｆには装着しない。
【００４６】
なお、ストッパ３３Ａは、引き残しの量を調整するための調整手段を有するように構成しても良い。例えば、図７に示した柱状部材３３ｈは、雄ねじ部を有するボルトと、このボルトの雄ねじ部に螺合する雌ねじを有する筒状部材とから構成し、ボルトと筒状部材との螺合により、ストッパ３３Ａの長さを変えて、引き残しの量を調整するように構成しても良い。
【００４７】
本実施形態の戸袋構造２００によれば、着脱可能なストッパ３３Ａを有することで、必要とされる場合にのみ引き残しを形成することができ、また、構成が簡単であり、低コストで実現できる。
【００４８】
本実施形態における戸袋構造２００のその他の作用効果は、前述した第１の実施形態における戸袋構造１００の場合と同様である。
【００４９】
図８は本発明の第３の実施形態に係る戸袋構造３００の全体の構成を示している。この第３の実施形態に係る戸袋構造３００は、上吊り引戸用の戸袋構造であり、天井に取付けられる上レール４０Ａは引戸用直線状レールである。
【００５０】
本実施形態の戸袋構造３００において、収納部及び上レール４０Ａの形状以外の構成は、前述した第１の実施形態の戸袋構造１００の構成と同様であるため、詳細な説明を省略すると共に第１の実施形態と同じ構成要素には同じ参照符号を用いることとする。
【００５１】
図８に示すように、戸袋構造３００は、裏側戸袋壁１０と、竪枠２０ａと、表側戸袋壁としての回動により開閉可能に取付けられている壁板３０と、天井に取付けられる上レール４０Ａとを備えている。この場合、引戸Ｐ’は、上レール４０Ａに走行自在に吊設されている。
【００５２】
本実施形態における戸袋構造３００の作用効果は、前述した第１の実施形態における戸袋構造１００の場合と同様である。
【００５３】
なお、前述した第１、第２及び第３の実施形態の戸袋構造１００、２００及び３００においては、表側戸袋壁（壁板３０）が開閉可能に取付けられているものについて説明したが、本発明はこれに限定されるものではない。例えば、裏側戸袋壁を開閉可能にしても良い。又は裏側戸袋壁と表側戸袋壁との両方を共に開閉可能にしても良い。
【００５４】
また、前述した第１及び第３の実施形態の戸袋構造１００及び３００においては、壁板３０に上下２つのストッパ３３が設けられた例について説明したが、本発明はこれに限定されるものではない。上下いずれか１つ、又は中央部に１つのストッパ３３を設けても良い。
【００５５】
本発明は、上記の実施形態に限定されるものでなく、特許請求の範囲に記載された発明の要旨を逸脱しない範囲内での種々、設計変更した形態を技術的範囲に含むものである。
【産業上の利用可能性】
【００５６】
本発明は、引戸又は引戸タイプの間仕切りを出し入れ可能に収納する戸袋の操作性及びデザイン性を向上する目的に利用できる。
【符号の説明】
【００５７】
１  天井枠
２  振れ止め用ベース部材
１０  裏側戸袋壁
２０ａ、２０ｂ  竪枠
３０  壁板
３１  隠し丁番
３２  マグネットキャッチャ
３３、３３Ａ  ストッパ
３３ａ  ケース
３３ｂ  ストッパ部材
３３ｃ、３３ｉ  緩衝部材
３３ｄ  スライドレール
３３ｅ  凸条部
３３ｆ  装着部材
３３ｇ  凹溝
３３ｈ  柱状部材
３４  アームストッパ
３５  フランス落とし
４０、４０Ａ  上レール
４１  開閉部レール
４２  収納部レール
１００、２００、３００  戸袋構造
Ｐ  間仕切りパネル
Ｐ’ 引戸
【図１】
2015203196.tif 000003
【図２】
2015203196.tif 000004
【図３】
2015203196.tif 000005
【図４】
2015203196.tif 000006
【図５】
2015203196.tif 000007
【図６】
2015203196.tif 000008
【図７】
2015203196.tif 000009
【図８】
2015203196.tif 000010